(57)【要約】【課題】扇風機の安定性を増す錘としての効果を持っており、更に安定性が増す、扇風機を提供することを目的とする。【解決手段】基台部２と、基台部２の中央に着脱自在に設けられた支柱部３と、支柱部３に設けたスイッチ部４と送風部５とを備え、基台部２内の周縁部には、仕切板９によって仕切られた複数の空間部分１０を備え、空間部分１０の少なくとも一部には、錘１１を有し、錘１１は、縦長形状の袋１２と、袋１２の中に設けられた砂１３とからなり、錘１１は、折り曲げ可能なことを特徴とする扇風機。【選択図】図２
2016070074.tif 000002
【特許請求の範囲】
【請求項１】
基台部と、前記基台部の中央に着脱自在に設けられた支柱部と、前記支柱部に設けたスイッチ部と送風部とを備え、前記基台部内の周縁部には、仕切板によって仕切られた複数の空間部分を備え、前記空間部分の少なくとも一部には、錘を有し、前記錘は、縦長形状の袋と、前記袋の中に設けられた砂とからなり、前記錘は、折り曲げ可能なことを特徴とする扇風機。
【請求項２】
前記錘には凹み部分を設けたことを特徴とする請求項１に記載の扇風機。
【請求項３】
前記砂は、水分を含んだことを特徴とする請求項１または２に記載の扇風機。
【発明の詳細な説明】
【技術分野】
【０００１】
本発明は、一般家庭に使用される扇風機に関するものである。
【背景技術】
【０００２】
従来、この種の扇風機は、略円形の基台部と、基台部に設けられた支柱部と、支柱部に設けた送風部とを備え、基台部下方の開口部を覆う略正方形の底板を締結したものが知られている（例えば、特許文献１参照）。
【先行技術文献】
【特許文献】
【０００３】
【特許文献１】特開昭６２−２５８１９１号公報
【発明の概要】
【発明が解決しようとする課題】
【０００４】
このような従来の扇風機においては、底板は単に基台部下方の開口部を覆う蓋としての機能のみならず、扇風機の安定性を増す錘としての効果を持っていた。
【０００５】
そこで本発明は、更に安定性が増す、扇風機を提供することを目的とする。
【課題を解決するための手段】
【０００６】
そして、この目的を達成するために、本発明は、基台部と、前記基台部の中央に着脱自在に設けられた支柱部と、前記支柱部に設けたスイッチ部と送風部とを備え、前記基台部内の周縁部には、仕切板によって仕切られた複数の空間部分を備え、前記空間部分の少なくとも一部には、錘を有し、前記錘は、縦長形状の袋と、前記袋の中に設けられた砂とからなり、前記錘は、折り曲げ可能なことを特徴とするものであり、これにより所期の目的を達成するものである。
【発明の効果】
【０００７】
本発明によれば、基台部と、前記基台部の中央に着脱自在に設けられた支柱部と、前記支柱部に設けたスイッチ部と送風部とを備え、前記基台部内の周縁部には、仕切板によって仕切られた複数の空間部分を備え、前記空間部分の少なくとも一部には、錘を有し、前記錘は、縦長形状の袋と、前記袋の中に設けられた砂とからなり、前記錘は、折り曲げ可能なことを特徴とするので、基台部の形によって、基台部内の周縁部の形が変わり、それに伴い空間部分の形が変わっても、その空間部分に錘を装着できるので、更に安定性が増す、扇風機を提供することができる。
【図面の簡単な説明】
【０００８】
【図１】本発明の実施の形態１の扇風機の全体を示す側面図
【図２】同扇風機の錘の正面図（（ａ）折り曲げた状態の錘の正面図、（ｂ）直線状に伸ばした状態の錘の正面図、（ｃ）円弧状に曲げた状態の錘の正面図）
【図３】同扇風機の基台部内を示す斜視図
【発明を実施するための形態】
【０００９】
以下、本発明の実施の形態について図面を参照しながら説明する。
【００１０】
（実施の形態１）
図１は、本発明の実施の形態１の扇風機を示す斜視図である。図１に示すように、扇風機１は、基台部２と、基台部２の中央に着脱自在に設けられ、上方に垂直に伸びた支柱部３と、支柱部３の前面側に設けたスイッチ部４と、支柱部３の先端に設けた送風部５を備えている。
【００１１】
送風部５は、モータ部６と、モータ部６の前方に装着した羽根車７と、羽根車７を内包するガード８とからなる。モータ部６によって、羽根車７が回転することによって、送風される。
【００１２】
図２は、本発明の実施の形態１の扇風機の錘の正面図（（ａ）折り曲げた状態の錘の正面図、（ｂ）直線状に伸ばした状態の錘の正面図、（ｃ）円弧状に曲げた状態の錘の正面図）である。図３は、本発明の実施の形態１の扇風機の錘の正面図および基台部内を示す斜視図である。図２、図３に示すように、基台部２は、上基台部分２Ａと下基台部分２Ｂとからなる。上基台部分２Ａは、基台部２の上部分で、下方に開口した略椀形状である。下基台部分２Ｂは、基台部２の下部分で、上方に開口した略椀形状である。中央には、支柱部３が嵌る窪み２Ｃを備えている。
【００１３】
基台部２内の周縁部には、仕切板９によって仕切られた複数の空間部分１０を備えている。空間部分１０の少なくとも一部には、錘１１を有している。このように、基台部２内の周縁部における空間部分１０に錘１１を有しているので、更に安定性が増す、扇風機を提供することができる。
【００１４】
錘１１は、縦長形状の袋１２と、袋１２の中に設けられた砂１３とからなる。袋１２は、材質は、ポリエチレンで、袋１２の開口から砂１３を入れた後に、袋１２の開口を熱溶着で塞ぐものである。
【００１５】
本実施形態における特徴は、図２（ａ）に示すように、錘１１が折り曲げ可能な点である。具体的には、錘１１には凹み部分１４を設けた。すなわち、袋１２の中に砂１３を目一杯入れるのではなく、少し少ない目に入れるものである。更に、砂１３が入っていない袋１２の部分には、極力空気を入れないものである。このようにすると、図２（ｂ）に示すように、袋１２の一部に凹みができる。この凹みが、凹み部分１４である。この凹み部分１４によって、錘１１を折り曲げることができる。
【００１６】
これにより、基台部２の形によって、基台部２内の周縁部の形が変わり、それに伴い空間部分１０の形が変わっても、その空間部分１０に錘１１を装着できるので、更に安定性が増す、扇風機を提供することができる。
【００１７】
例えば、基台部２の形状が円形の場合には、基台部２内の周縁部に空間部分１０の形状は、円弧形状となる場合がある。この場合には、図２（ｃ）に示すように、小さな多数の凹み部分１４ができるように変形させると、錘１１は、円弧形状に沿うように変形し、円弧形状の空間部分１０に嵌る形となる。
【００１８】
また、例えば、基台部２の形状が四角形の場合には、基台部２内の周縁部に空間部分１０の形状は、四角形状となる場合がある。この場合には、錘１１を凹み部分１４で、錘１１を折り曲げることにより、四角形の空間部分１０に嵌る形となる。このように、空間部分１０の形に嵌るように、錘１１が変形し易いものとなる。
【００１９】
また、砂１３は、水分を含んだものである。これにより、錘１１の重量を大きくすることができる。更に、乾燥した砂に比べて、水分を含んだ砂は、袋１２の中で、砂１３同士が引っ付いて、ある程度の強度を備えた塊となる。これにより、空間部分１０への収まりが良く、装着し易くなる。
【産業上の利用可能性】
【００２０】
本発明にかかる扇風機は、基台部と、前記基台部の中央に着脱自在に設けられた支柱部と、前記支柱部に設けたスイッチ部と送風部とを備え、前記基台部内の周縁部には、仕切板によって仕切られた複数の空間部分を備え、前記空間部分の少なくとも一部には、錘を有し、前記錘は、縦長形状の袋と、前記袋の中に設けられた砂とからなり、前記錘は、折り曲げ可能なことを特徴とするので、基台部の形によって、基台部内の周縁部の形が変わり、それに伴い空間部分の形が変わっても、その空間部分に錘を装着でき、更に安定性が増す、扇風機を提供することができるので、一般的な家庭に使用されるリビング扇風機等として有用である。
【符号の説明】
【００２１】
１      扇風機
２      基台部
２Ａ    上基台部分
２Ｂ    下基台部分
２Ｃ    窪み
３      支柱部
４      スイッチ部
５      送風部
６      モータ部
７      羽根車
８      ガード
９      仕切板
１０      空間部分
１１      錘
１２      袋
１３      砂
１４      凹み部分
【図１】
2016070074.tif 000003
【図２】
2016070074.tif 000004
【図３】
2016070074.tif 000005